(57)【要約】【課題】カゴ載せ部に載せた買物カゴを、ひったくりからガードする。【解決手段】左右の支柱５，５とバスケット９とバスケット９の下方のカゴ載せ部１０とを備えたショッピングカートにおいて、左右の支柱５，５はそれぞれ、下端からバスケット９の後部の下端部に至るまでの間に、カゴ載せ部１０の前端よりも前に屈曲部７ａがある「く」字状の側方ガード部７を含み、左右の屈曲部７ａに、正面を広告表示面として利用できる前方ガードプレート（１２）が設けられている。【選択図】図１
2018012351.tif 000002
【特許請求の範囲】
【請求項１】
左右の前キャスター（２）と、左右の後キャスター（３）と、左右の後キャスター付近から上方へ延びる左右の支柱（５，５）と、左右の支柱（５，５）の間に後部が取り付けられて前方へ延びるバスケット（９）と、前キャスター（２）及び後キャスター（３）の直ぐ上であってバスケット（９）の下方に設けられた、買物カゴ（２１）を載せられるカゴ載せ部（１０）とを備えたショッピングカートにおいて、
左右の支柱（５，５）はそれぞれ、下端からバスケット（９）の後部の下端部に至るまでの間に、カゴ載せ部（１０）の前端よりも前に屈曲部（７ａ）がある「く」字状の側方ガード部（７）を含み、
左右の屈曲部（７ａ）に、正面を広告表示面として利用できる前方ガードプレート（１２）が設けられ、
左右の側方ガード部（７，７）と前方ガードプレート（１２）とにより、カゴ載せ部（１０）に直接又は買物カゴ（２１）を介して載せられた手荷物（２３）をひったくりからガードするようにしたことを特徴とするショッピングカート。
【請求項２】
バスケット（９）の下面と側方ガード部（７）との間には、レジのカウンターテーブル板（２５）が入り込みうる隙間が形成される請求項１記載のショッピングカート。
【発明の詳細な説明】
【技術分野】
【０００１】
本発明は、スーパーマーケット等で買い物をする際に使用するショッピングカートに関する。
【背景技術】
【０００２】
図４に示すように、現在使用されている多くのショッピングカート５１は、左右の前キャスター５２と、左右の後キャスター５３と、左右の後キャスター５３付近から上方へ延びる左右の支柱５５，５５と、左右の支柱５５，５５の間に後部が取り付けられて前方へ延びる、買物カゴ２２を載せられるバスケット５９と、前キャスター５２及び後キャスター５３の直ぐ上であってバスケット５６の下方に設けられた買物カゴ２１を載せられるカゴ載せ部６０とを備えた構成となっている（例えば特許文献１）。買物カゴ２２
【０００３】
左右の支柱５５，５５は、買物客の膝が当たりにくいようにするために、中間部で１００〜２００ｍｍほど前方へ「く」字状に屈曲しているが、基本的にはショッピングカートの後部にある。
【０００４】
買物客は、ハンドバッグ、カバン、手提げ袋等の手荷物を、カゴ載せ部６０に直接又は買物カゴ２１を介して載せた状態で買物をする場合がある。そのような場合、カゴ載せ部６０上の手荷物が、買物中にカートを離れたときや、レジアウト後に、ひったくられるおそれがあり、実際に空港や百貨店で被害例がある。
【０００５】
上記のショッピングカート５１では、カゴ載せ部（１０）の上部空間の左右の側方及び前方がオープンになるため、容易にひったくりができるものと考えられる。
【先行技術文献】
【特許文献】
【０００６】
【特許文献１】特開２００８−１２０１９１号公報
【発明の概要】
【発明が解決しようとする課題】
【０００７】
そこで、本発明の目的は、下段のカゴ載せ部に載せた買物カゴを、ひったくりからガードすることができるショッピングカートを提供することにある。
【課題を解決するための手段】
【０００８】
本発明は、左右の前キャスターと、左右の後キャスターと、左右の後キャスター付近から上方へ延びる左右の支柱と、左右の支柱の間に後部が取り付けられて前方へ延びるバスケットと、前キャスター及び後キャスターの直ぐ上であってバスケットの下方に設けられた、買物カゴを載せられるカゴ載せ部とを備えたショッピングカートにおいて、
左右の支柱はそれぞれ、下端からバスケットの後部の下端部に至るまでの間に、カゴ載せ部（１０）の前端よりも前に屈曲部がある、「く」字状の側方ガード部を含み、
左右の屈曲部の間に、正面を広告表示面として利用できる前方ガードプレートが設けられ、
左右の側方ガード部と前方ガードプレートとにより、カゴ載せ部に直接又は買物カゴ（２１）を介して載せられた手荷物をガードするようにしたことを特徴とする。
【０００９】
＜作用＞
本発明によれば、ひったくり犯が、カゴ載せ部に直接又は買物カゴを介して載せられた手荷物に左右側方又は前方から手を延ばそうとしても、左右の側方ガード部と前方ガードプレートが障害物となってガードする。買物カゴの後方は、もともと買い物客自身がいることによってガードされている。
その他、カゴ載せ部に載せられた買物カゴに商品を入れた場合には、その購入前の商品が他のカートや什器と接触して破損することを、左右の側方ガード部と前方ガードプレートが防ぐ。
また、カゴ載せ部に箱(ビールケース・果物等)を段積みした場合には、その段積みの箱がずれたり倒れたりすることを、左右の側方ガード部と前方ガードプレートが防ぐ。
さらに、前方ガードプレートの正面を（例えば、広告紙を添着したり、プリントしたりして）広告表示面として利用できるので、店名表示して店を広告したり、商品表示して商品を広告したりすることができる。
【００１０】
バスケットの下面と側方ガード部との間には、レジのカウンターテーブル板が入り込みうる隙間が形成されることが好ましい。
【発明の効果】
【００１１】
本発明のショッピングカートによれば、下段のカゴ載せ部に載せた買物カゴを、ひったくりからガードすることができるという優れた効果を奏する。
【図面の簡単な説明】
【００１２】
【図１】実施例のショッピングカートの斜視図である。
【図２】同ショッピングカートの側面図である。
【図３】変更例のショッピングカートの斜視図である。
【図４】従来例のショッピングカートを斜め前からみた斜視図である。
【発明を実施するための形態】
【００１３】
左右の前キャスターと、左右の後キャスターと、左右の後キャスター付近から上方へ延びる左右の支柱と、左右の支柱の間に後部が取り付けられて前方へ延びるバスケットと、前キャスター及び後キャスターの直ぐ上であってバスケットの下方に設けられた、買物カゴを載せられるカゴ載せ部とを備えたショッピングカートである。
左右の支柱はそれぞれ、下端からバスケットの後部の下端部に至るまでの間に、カゴ載せ部の前端よりも前に屈曲部がある、「く」字状の側方ガード部を含む。
左右の屈曲部の間に、正面を広告表示面として利用できる前方ガードプレートが設けられている。
左右の側方ガード部と前方ガードプレートとにより、カゴ載せ部に載せられた買物カゴをガードする。
【実施例】
【００１４】
図１及び図２に示す本実施例のショッピングカート１は、左右の前キャスター２と左右の後キャスター３を備えたベース４と、左右の後キャスター３の真上に立設された左右の支柱５，５と、左右の支柱５，５の間に後部が取り付けられたバスケット９と、前キャスター２及び後キャスター３の直ぐ上であってバスケット９の下方に設けられた、買物カゴを載せられるカゴ載せ部１０とを備えている。
【００１５】
左右の支柱５，５はそれぞれ、曲げ加工された金属パイプよりなり、下端からバスケット９の後部の下端部に至るまでの間に、縦に延びる下端部６と、下端部６の上端から前上がりに延びて、カゴ載せ部１０の前端よりも前に屈曲部７ａがある、「く」字状に曲げられた側方ガード部７とを含む。図示例では、バスケット９の前端よりも屈曲部７ａの前端の方が１〜５０ｍｍ前にあるが、実質的に同じ前後方向位置といえる。側方ガード部７の上端はバスケット９の後部の下端部に位置する。さらに左右の支柱５，５はそれぞれ、側方ガード部７の上端から斜め後ろ上方へ延びる上部８を含む。
【００１６】
バスケット９の下面と側方ガード部７との間には、レジのカウンターテーブル板２５が入り込む隙間が形成されるようになっており、レジでの買物カゴ２２の移動が楽になる等の効果がある。
【００１７】
支柱の左右の上部８，８の間に、バスケット９の後部が取り付けられている。バスケット９は、前方へ向かって延び、前側が高くなるように傾斜した底壁と、周壁とからなる。周壁は、前壁と左壁と右壁と後あおり壁とからなる。
支柱の上部８，８の上端間に、ハンドルバー１１が架設されている。
【００１８】
支柱の左右の屈曲部７ａ，７ａの間に、正面を広告表示面として利用できる前方ガードプレート１２が設けられている。前方ガードプレート１２は、金属製の枠フレーム１３と、枠フレーム１３内の表示板１４と、枠フレーム１３を屈曲部７ａ，７ａに溶接して取り付ける取付部材１５とからなる。図示例の表示板１４は、Ｂ５サイズの広告表示面を有するものである。また、前方ガードプレート１２を屈曲部７ａ，７ａに取り付ける手段は、溶接に限定されず、屈曲部７ａ，７ａに前方から嵌着する樹脂製カバーを用いる等、適宜変更できる。
【００１９】
本実施例のショッピングカート１によれば、ひったくり犯が、カゴ載せ部１０に直接（図３）又は買物カゴ２１を介して（図１，図２）載せられたハンドバッグ、カバン、手提げ袋等の手荷物２３に左右側方又は前方から手を入れようとしても、左右の側方ガード部７，７と前方ガードプレート１２が障害物となってガードする。買物カゴ２１の後方は、もともと買い物客自身がいることによってガードされている。
その他、カゴ載せ部１０に載せられた買物カゴ２１に商品を入れた場合には、その購入前の商品が他のカートや什器と接触して破損することを、左右の側方ガード部７，７と前方ガードプレート１２が防ぐ。
また、カゴ載せ部１０に箱(ビールケース・果物等)（図示略）を段積みした場合には、その段積みの箱がずれたり倒れたりすることを、左右の側方ガード部７，７と前方ガードプレート１２が防ぐ。
さらに、前方ガードプレート１２の正面を（例えば、広告紙を添着したり、プリントしたりして）広告表示面として利用できるので、店名表示して店を広告したり、商品表示して商品を広告したりすることができる。
【００２０】
なお、本発明は前記実施例の構成に限定されるものではなく、発明の趣旨から逸脱しない範囲で、適宜変更して具体化することもできる。
（１）前方ガードプレート１２は、実施例のサイズに限定されるものではなく、例えば、同Ｂ５サイズを縦方向に縮めたサイズの広告表示面を有するものや、図３の変更例に示すように、縦長のＢ４サイズの広告表示面を有するものに変更することもできる。
【符号の説明】
【００２１】
１    ショッピングカート
２    前キャスター
３    後キャスター
４    ベース
５    支柱
６    下端部
７    側方ガード部
７ａ  屈曲部
８    上部
９    バスケット
１０    カゴ載せ部
１１    ハンドルバー
１２    前方ガードプレート
１３    枠フレーム
１４    表示板
１５    取付部材
２１    買物カゴ（下段）
２２    買物カゴ（上段）
２３    手荷物
２３    カウンターテーブル板
【図１】
2018012351.tif 000003
【図２】
2018012351.tif 000004
【図３】
2018012351.tif 000005
【図４】
2018012351.tif 000006